【手続補正書】
【提出日】平成19年11月13日(2007.11.13)
【手続補正１】
【補正対象書類名】明細書
【補正対象項目名】発明の名称
【補正方法】変更
【補正の内容】
【発明の名称】画像処理システム、制御方法、並びに、プログラム
【手続補正２】
【補正対象書類名】明細書
【補正対象項目名】特許請求の範囲
【補正方法】変更
【補正の内容】
【特許請求の範囲】
【請求項１】  画像処理装置による画像処理にて利用可能な複数の補正データを登録しているサーバから前記画像処理装置に対して前記複数の補正データを選択的に供給できるように構成された画像処理システムであって、
前記サーバから前記画像処理装置に対して補正データを供給するのに先立って、前記画像処理装置により処理される画像データの解析を解析手段により行わせるための手段と、
前記解析手段による前記解析の結果に基づいて前記複数の補正データの中から特定される補正データであって、前記画像データのために必要な補正データを、前記サーバから前記画像処理装置に対して供給させるための手段と、
前記サーバから前記画像処理装置に対して供給される前記補正データを用いて前記画像データの画像処理を前記画像処理装置により実行させるための手段と、
を有することを特徴とする画像処理システム。
【請求項２】  前記サーバから前記画像処理装置に対して供給される前記補正データを圧縮するか否かをユーザインタフェースを介してユーザにより選択可能にするための手段を更に有することを特徴とする請求項１記載の画像処理システム。
【請求項３】  前記サーバから前記画像処理装置に対して供給される前記補正データを前記画像処理装置に具備される記憶手段に保存するか否かをユーザインタフェースを介してユーザにより選択可能にするための手段を更に有することを特徴とする請求項１又は２記載の画像処理システム。
【請求項４】  前記サーバから前記画像処理装置に対して補正データを供給するか否かをユーザにより選択可能に構成されたユーザインタフェースによって、当該補正データの供給についてのガイダンス表示及び／又は警告表示を実行させるための手段を更に有することを特徴とする請求項１乃至３の何れか１項に記載の画像処理システム。
【請求項５】  画像処理装置による画像処理にて利用可能な複数の補正データを登録しているサーバから前記画像処理装置に対して前記複数の補正データを選択的に供給できるように構成された画像処理システムのための制御方法であって、
前記サーバから前記画像処理装置に対して補正データを供給するのに先立って、前記画像処理装置により処理される画像データの解析を解析手段により行わせるための工程と、
前記解析手段による前記解析の結果に基づいて前記複数の補正データの中から特定される補正データであって、前記画像データのために必要な補正データを、前記サーバから前記画像処理装置に対して供給させるための工程と、
前記サーバから前記画像処理装置に対して供給される前記補正データを用いて前記画像データの画像処理を前記画像処理装置により実行させるための工程と、
を有することを特徴とする制御方法。
【請求項６】  請求項５記載の制御方法をコンピュータに実行させるためのコンピュータ実行可能なプログラム。
【手続補正３】
【補正対象書類名】明細書
【補正対象項目名】０００１
【補正方法】変更
【補正の内容】
【０００１】
【発明の属する技術分野】
本発明は、例えば、原稿画像をデジタル画像信号として処理を行うデジタル画像入出力装置の分野に適用可能な、画像処理システム、制御方法、並びに、プログラムに関する。
【手続補正４】
【補正対象書類名】明細書
【補正対象項目名】０００７
【補正方法】変更
【補正の内容】
【０００７】
そこで、本発明の目的は、ネットワーク上のサーバ等の外部からデータを取り込んだ場合においても、保存先のメモリデバイスの容量を最適に利用することによって、メモリデバイスの大型化、コスト高を招くことなく、各種のデータを効率良く記憶することが可能な、画像処理システム、制御方法、並びに、プログラムを提供することにある。
【手続補正５】
【補正対象書類名】明細書
【補正対象項目名】０００８
【補正方法】変更
【補正の内容】
【０００８】
【課題を解決するための手段】
本発明は、画像処理装置による画像処理にて利用可能な複数の補正データを登録しているサーバから前記画像処理装置に対して前記複数の補正データを選択的に供給できるように構成された画像処理システムであって、前記サーバから前記画像処理装置に対して補正データを供給するのに先立って、前記画像処理装置により処理される画像データの解析を解析手段により行わせるための手段と、前記解析手段による前記解析の結果に基づいて前記複数の補正データの中から特定される補正データであって、前記画像データのために必要な補正データを、前記サーバから前記画像処理装置に対して供給させるための手段と、前記サーバから前記画像処理装置に対して供給される前記補正データを用いて前記画像データの画像処理を前記画像処理装置により実行させるための手段と、を有することを特徴とする。
【手続補正６】
【補正対象書類名】明細書
【補正対象項目名】０００９
【補正方法】変更
【補正の内容】
【０００９】
前記サーバから前記画像処理装置に対して供給される前記補正データを圧縮するか否かをユーザインタフェースを介してユーザにより選択可能にするための手段を更に有することを特徴とする。
【手続補正７】
【補正対象書類名】明細書
【補正対象項目名】００１０
【補正方法】変更
【補正の内容】
【００１０】
前記サーバから前記画像処理装置に対して供給される前記補正データを前記画像処理装置に具備される記憶手段に保存するか否かをユーザインタフェースを介してユーザにより選択可能にするための手段を更に有することを特徴とする。
【手続補正８】
【補正対象書類名】明細書
【補正対象項目名】００１１
【補正方法】変更
【補正の内容】
【００１１】
前記サーバから前記画像処理装置に対して補正データを供給するか否かをユーザにより選択可能に構成されたユーザインタフェースによって、当該補正データの供給についてのガイダンス表示及び／又は警告表示を実行させるための手段を更に有することを特徴とする。
【手続補正９】
【補正対象書類名】明細書
【補正対象項目名】００１２
【補正方法】変更
【補正の内容】
【００１２】
本発明は、画像処理装置による画像処理にて利用可能な複数の補正データを登録しているサーバから前記画像処理装置に対して前記複数の補正データを選択的に供給できるように構成された画像処理システムのための制御方法であって、前記サーバから前記画像処理装置に対して補正データを供給するのに先立って、前記画像処理装置により処理される画像データの解析を解析手段により行わせるための工程と、前記解析手段による前記解析の結果に基づいて前記複数の補正データの中から特定される補正データであって、前記画像データのために必要な補正データを、前記サーバから前記画像処理装置に対して供給させるための工程と、前記サーバから前記画像処理装置に対して供給される前記補正データを用いて前記画像データの画像処理を前記画像処理装置により実行させるための工程と、を有することを特徴とする。
【手続補正１０】
【補正対象書類名】明細書
【補正対象項目名】００１３
【補正方法】変更
【補正の内容】
【００１３】
本発明は、上記記載の制御方法をコンピュータに実行させるためのコンピュータ実行可能なプログラムにより構成されることを特徴とする。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】０１７１
【補正方法】変更
【補正の内容】
【０１７１】
【発明の効果】
本発明によれば、サーバに登録されている画像処理にて利用する補正データを画像処理装置により適切に利用できるようにした画像処理システムを提供できる。